(57)【要約】サンドコアを作成するための方法および設備に関する。この方法は、粒状材料および粒状材料を固化する添加剤の層がジョブボックス（１）のプラットフォーム（１．１）に塗布される３Ｄ製造により、ジョブボックス（１）で区切られた内部空間（１．０）でコア（９）を所望の形状で生成するための生成ステップと、前記コア（９）を硬化する硬化ステップとを備える。硬化ステップでは、マイクロ波および乾燥ストリームが前記内部空間（１．０）に加えられ、乾燥ストリームは前記内部空間（１．０）に吸引力を加えることによって生成される。吸引力は吸着床（３）が前記内部空間（１．０）に存在する材料と接触した状態で吸着床（３）を介して加えられる。【選択図】図５
2021526461.tif 000002
【特許請求の範囲】
【請求項１】
交互かつ選択的な方式で粒状材料および前記粒状材料を固化する添加剤の複数の層がジョブボックス（１）のプラットフォーム（１．１）に塗布される３Ｄ製造によって、前記ジョブボックス（１）によって区切られた内部空間（１．０）で所望の形状で少なくとも１つのコア（９）が生成される生成ステップと、前記生成ステップで生成された前記コア（９）が硬化される硬化ステップと、を備え、
前記生成ステップは、設備（１０００）の第１のステーション（１０１）で前記ジョブボックス（１）によって実施され、
前記硬化ステップは、前記設備（１０００）の第２のステーション（１０２）で実施され、
前記第１のステーション（１０１）で前記生成ステップが実行された後、前記ジョブボックス（１）は、前記硬化ステップが実施される前記第２のステーション（１０２）に運搬され、
前記硬化ステップでは、前記生成ステップで生成された前記コア（９）を硬化するために前記コア（９）が配置される前記ジョブボックス（１）の内部空間（１．０）でマイクロ波および乾燥ストリームが加えられ、
前記硬化ステップでは、マイクロ波および前記乾燥ストリームが加えられる前に、前記ジョブボックス（１）の前記内部空間（１．０）は、その上部で当該目的のために構成された蓋（２）により密閉式に閉鎖されており、前記ジョブボックス（１）に向かう前記蓋（２）、または前記蓋（２）に向かう前記ジョブボックス（１）の垂直運動が、前記密閉式の閉鎖を確立するために引き起こされ、
前記ジョブボックス（１）の前記内部空間（１．０）で吸引力を前記内部空間（１．０）の外側から、かつ下部または上部から加えることにより、前記乾燥ストリームが生成され、
前記ジョブボックス（１）の前記内部空間（１．０）に存在する前記蓋（２）と前記材料との間に配置された吸着床（３）を介して前記吸引力が加えられ、かつ前記吸着床（３）は前記材料と接触することを特徴とする、サンドコアを作成するための方法。
【請求項２】
前記マイクロ波は、前記ジョブボックス（１）の前記内部空間（１．０）の外側から、かつ前記蓋（２）を介して加えられ、
前記蓋（２）は、前記ジョブボックス（１）の前記内部空間（１．０）に向けてマイクロ波が誘導される少なくとも１つのスルーホール（２．０）を備える、請求項１に記載の方法。
【請求項３】
前記吸引力は、前記蓋（２）および前記吸着床（３）を介して、前記ジョブボックス（１）の内部空間（１．０）の上部から生成され、
前記プラットフォーム（１．１）は、それを介した空気の通過を許容するが、粒状材料の通過を許容しない少なくとも１つの吸着領域において規定の多孔性を備える、請求項１または２に記載の方法。
【請求項４】
前記吸着床（３）は、それを介した空気の通過を許容する一方で、粒状材料の通過を許容しない少なくとも１つの吸着領域（３．０）において規定の多孔性を備え、前記吸引力は前記吸着領域（３．０）を介して加えられる、請求項３に記載の方法。
【請求項５】
前記ジョブボックス（１）は、前記第２のステーション（１０２）の構造（１０２．１）に連結され、かつ、前記硬化ステップは、前記構造（１０２．１）に連結されたジョブボックス（１）によって前記第２のステーション（１０２）で実施され、
前記方法は、前記第２のステーション（１０２）の前記ジョブボックス（１）で実施される前記硬化ステップの後の清掃ステップを備え、
前記過剰な粒状材料が前記コア（９）から分離され、かつ前記ジョブボックス（１）の前記プラットフォーム（１．１）を介して前記ジョブボックス（１）の前記内部空間（１．０）から前記過剰な粒状材料が放出される、請求項３または４に記載の方法。
【請求項６】
前記ジョブボックス（１）の前記プラットフォーム（１．１）は、前記ジョブボックス（１）の前記内部空間（１．０）から前記過剰な粒状材料を排出するための複数の排出孔（１．１ａ）を備え、
前記複数の排出孔（１．１ａ）は、前記排出を許容するために、前記清掃ステップの間、制御された方法で開放され、
前記第２のステーション（１０２）の前記構造（１０２．１）は、前記ジョブボックス（１）が前記構造（１０２．１）に接続されたとき、前記ジョブボックス（１）が配置され、かつ結合される清掃プラットフォーム（１０２．０）を備える、請求項５に記載の方法。
【請求項７】
前記ジョブボックス（１）の前記内部空間（１．０）で加えられた前記乾燥ストリームは、それが前記ジョブボックス（１）の内部に配置された前記コア（９）を強制的に貫通するように生成される、請求項１〜６のいずれかに記載の方法。
【請求項８】
サンドコアを作成するために構成された設備であって、
前記設備（１００）は、少なくとも１つのコア（９）が生成され、かつプラットフォーム（１．１）を備えるジョブボックス（１）と、
前記ジョブボックス（１）を収納するために構成された第１のステーション（１０１）と、
前記第１のステーション（１０１）と関連付けられ、かつ粒状材料および前記粒状材料を固化する添加剤の複数の層が前記ジョブボックス（１）のプラットフォーム（１．１）上で交互かつ選択的な方式で塗布される３Ｄ生成により、前記ジョブボックス（１）によって区切られた内部空間（１．０）で前記コア（９）を生成するために構成された作成手段と、
前記ジョブボックス（１）を収納するために構成された第２のステーション（１０２）と、
前記第１のステーション（１０１）から前記第２のステーション（１０２）に前記ジョブボックス（１）を移動するためのコンベア装置と、
前記第２のステーション（１０２）と関連付けられ、かつ前記第１のステーション（１０１）で生成されたコア（９）を硬化するために構成された硬化手段と、を備え、
前記硬化手段は、
前記ジョブボックス（１）が前記第２のステーション（１０２）にあるとき、前記ジョブボックス（１）によって区切られた前記内部空間（１．０）に、それらを適用するための少なくとも１つのマイクロ波生成装置（４）と、
前記ジョブボックス（１）が前記第２のステーション（１０２）にあるとき、前記内部空間（１．０）で乾燥ストリームを生成するために構成されたストリーム生成装置（５）と、を備え、
前記設備（１０００）はさらに、
前記第２のステーション（１０２）において、その上部で密閉式に前記ジョブボックス（１）の内部空間（１．０）を閉鎖するために構成された蓋（２）と、
前記密閉式の閉鎖を確立するために前記蓋（２）または前記ジョブボックス（１）を垂直に移動させるための移動手段と、
前記蓋（２）に垂直方向の運動が自在に取り付けられた吸着床（３）と、を備え、
前記吸着床（３）は、前記蓋（２）と前記ジョブボックス（１）の前記プラットフォーム（１．１）との間に配置され、
前記ストリーム生成装置（５）は、前記乾燥ストリームを生成するために前記吸着床（３）と前記蓋（２）とを介して前記内部空間（１．０）に吸引力を加えるために構成されていることを特徴とする設備。
【請求項９】
前記マイクロ波生成装置（４）は、それが生成した前記マイクロ波が前記蓋（２）のスルーホール（２．０）を介して前記ジョブボックス（１）の内部空間（１．０）に達するように、前記蓋（２）に取り付けられ、かつ前記蓋（２）の少なくとも１つのスルーホール（２．０）と連通しており、
前記蓋（２）は、好ましくはマイクロ波に耐えるのに適した材料を備える、請求項８に記載の設備。
【請求項１０】
前記ストリーム生成装置（５）は、前記蓋（２）を介して前記吸着床（３）と連通しており、かつ前記蓋（２）および前記吸着板（３）を介して前記内部空間（１．０）の上部から前記吸引力を加えるために構成されている、請求項８または９に記載の設備。
【請求項１１】
前記吸着板（３）は、中空柱（２．２）によって前記蓋（２）に取り付けられており、
前記蓋（２）は、前記柱（２．２）の空洞と連通したスルーホール（２．１）を備え、かつ前記空洞は、前記吸着板（３）と連通しており、
前記ストリーム生成装置（５）は、それが前記スルーホール（２．１）および前記柱（２．２）の空洞を介して前記吸着板（３）と連通するように、前記蓋（２）の前記スルーホール（２．１）と連通している、請求項１０に記載の設備。
【請求項１２】
前記吸着床（３）は、それを通した空気の通過を許容するが、粒状材料の通過を許容しない少なくとも１つの吸着領域（３．０）において規定の多孔性を備え、
前記蓋（２）は、前記ストリーム生成装置（５）と連通し、かつ前記吸着領域（３．０）と連通する少なくとも１つのスルーホール（２．０）を備える、請求項１０または１１に記載の設備。
【請求項１３】
前記第２のステーション（１０２）は、清掃プラットフォーム（１０２．０）を有する構造（１０２．１）を備え、
前記ジョブボックス（１）および前記清掃プラットフォーム（１０２．０）は、前記乾燥ストリームを生成するために、それらの間での結合を許容するよう構成されており、
前記プラットフォーム（１．１）は、前記過剰な粒状材料が前記ジョブボックス（１）の内部空間（１．０）から放出される制御された開口を有する複数の排出穴(１．１ａ)を備え、
前記設備（１０００）は、前記開口を生成するための手段を前記第２のステーション（１０２）に備える、請求項８〜１２のいずれかに記載の設備。
【請求項１４】
前記ストリーム生成装置（５）は、前記ジョブボックス（１）の内部空間（１．０）に加えられた前記乾燥ストリームに、前記ジョブボックス（１）の内部に配置された前記コア（９）を強制的に貫通させるのに適している、請求項８〜１３のいずれかに記載の設備。
【発明の詳細な説明】
【技術分野】
【０００１】
本発明はサンドコアを作成するための方法および設備に関し、特に３Ｄ製造（付加製造としても知られる）を用いた製造方法に関する。
【背景技術】
【０００２】
サンドコアは一般的に従来のサンド作成機械において作成され、ここでは型が各作成サイクルにおいて作成されるべきコア（または複数のコア）の形状を規定する。コアを作成するのに使用される材料は次に型に注がれ、その材料は固化された結果を生むために硬化またはキュアされる。その結果物がサンドコアである。使用された材料は少なくとも１つの添加剤または結合剤（例えば、樹脂の一種）と混合された粒状材料である。サンドコアがこのような方法で作成される機械の例は、ＥＰ０４９４７６２Ａ２およびＥＰ２９０７６０１Ａ１で確認することができ、例えば、後者は本発明の出願人に属する。
【０００３】
サンドコアを作成するための他の方法の使用、すなわち３Ｄ製造（付加製造としても知られる）が近年増えている。３Ｄ製造において、物体（コア）は、粒状材料（通常砂）と、生成ステップで粒状材料を固化するための添加剤により作成される。粒状材料と添加剤は、プラットフォームのジョブボックスまたはジョブボックスの底に交互かつ選択的な方式で塗布された層で配置され、添加剤の層は対象の粒状材料上においてのみ塗布される（そして作成されるべき物体の形状にも依存する）。処理の最後では、添加剤によって作成され、かつ固化された物体はジョブボックスに存在するが、添加剤の浸透しなかった粒状材料（非固化の粒状材料または過剰な粒状材料）も同様である。したがって、そのような過剰な粒状材料から物体を分離することが一般的であり、このことより物体を清掃しなければならない。
【０００４】
このような方法で作成された物体が固体状態であっても、これらは一般的にもろく、これらを壊す高いリスクがあるため、過剰な粒状材料から、これらを分離するために安易に何度も扱うことはできない。したがって、物体がより壊れにくくなるため、生成ステップの後、これらを清掃する前に物体に適用される硬化ステップを加えることが一般的である。硬化ステップの後、物体を清掃することがより安全である。
【０００５】
ＣＮ１０５３４４９４１Ａは、３Ｄ製造によって作成されたコアを硬化するステップを開示している。最後に、ジョブボックスはマイクロ波オーブンに導入され、先に作成された物体（コア）は乾燥されて前記マイクロ波オーブンで硬化される。
【発明の概要】
【０００６】
本発明の目的は、請求項で定義されるように、サンドコアを作成するための方法および設備を提供することにある。
【０００７】
本発明の第１の態様は、サンドコアを作成するための方法に関する。この方法は、すなわち３Ｄ製造（付加製造としても知られる）によって少なくとも１つのコアが所望の形状で生成される生成ステップを備える。３Ｄ製造では、粒状材料とコアを生成するために必要な材料との複数の層が交互かつ選択的な方式で塗布される。この方法では、前記層はジョブボックスの内部空間内、ジョブボックスのプラットフォーム上で塗布される。
【０００８】
この方法は、さらに生成ステップで生成されたコアが硬化され、コアはジョブボックスの内部空間に配置される硬化ステップを備える。生成ステップは設備の第１のステーションのジョブボックスによって実施され、硬化ステップは設備の第２のステーションで実施される。第１のステーションで生成ステップが実行された後、ジョブボックスは硬化ステップが実施される第２のステーションに運搬される。硬化ステップでは、生成ステップで生成された前記コアを硬化するためにコアが配置されるジョブボックスの内部空間でマイクロ波および乾燥ストリームが加えられる。
【０００９】
コアを生成するのに使用される材料は水を含み、マイクロ波は前記水の粒子を問題無く移動させ、それを蒸発させる。前記乾燥に貢献するのに加え、乾燥ストリームは蒸発したコアの周囲の領域から排出された水を取り込む。それによってマイクロ波と乾燥ストリームの組み合わせは、コアの乾燥効率、ひいてはコア硬化の増大に関係するため、より安全な次の清掃ステップを許容する。さらに、この組み合わせは、その効率性の結果、硬化ステップの時間の減少を許容し、コア作成の生産性を増大させる結果となる。
【００１０】
前記硬化ステップでは、さらに、マイクロ波および乾燥ストリームが加えられる前に、ジョブボックスの内部空間は、その上部で当該目的のために構成された蓋により密閉式に閉鎖されており、ジョブボックスに向かう蓋の、または蓋に向かうジョブボックスの垂直運動が前記密閉式の閉鎖を確立するために引き起こされる。
【００１１】
ジョブボックスの内部空間で吸引力を加えることにより、前記内部空間の外側かつ下部または上部から乾燥ストリームが生成され、ジョブボックスの内部空間に存在する蓋と材料との間に配置された吸着床を介して前記吸引力が加えられ、かつ前記吸着床は前記材料と接触する。前記接触とともに吸引力を加えることで乾燥ストリームが生成されたときに粒状材料が内部空間で動き回ることを防ぐことができ、効率の減少を防ぐことができる。
【００１２】
本発明の第２の態様はサンドコアの作成のために構成された設備に関する。この設備は、コアが生成されかつプラットフォームを備えるジョブボックスと、ジョブボックスを収納するために構成された第１のステーションと、第１のステーションと関連付けられかつ粒状材料および粒状材料を固化する添加剤の複数の層が前記ジョブボックスのプラットフォーム上で交互かつ選択的な方式で塗布される３Ｄ生成により、ジョブボックスによって区切られた内部空間でコアを生成するために構成された作成手段と、ジョブボックスを収納するために構成された第２のステーションと、第１のステーションから第２のステーションにジョブボックスを移動するためのコンベア装置と、第２のステーションと関連付けられかつ前記生成されたコアを硬化するために構成された硬化手段と、を備える。
【００１３】
硬化手段は、ジョブボックスによって区切られた内部空間でマイクロ波を加えるための少なくとも１つの装置と、前記内部空間で乾燥ストリームを生成するために構成された装置と、を備える。
【００１４】
設備はさらに、第２のステーションにおいて、その上部で密閉式にジョブボックスの内部空間を閉鎖するために構成された蓋と、前記密閉式の閉鎖を確立するために蓋またはジョブボックスを垂直に移動させるための移動手段と、蓋に垂直方向の運動が自在に取り付けられた吸着床と、を備える。ジョブボックスが第２のステーションにあるとき、前記吸着床は蓋とジョブボックスのプラットフォームとの間に配置される。ストリーム生成装置は吸着床と蓋とを介して内部空間に吸引力を加えるために構成されている。
【００１５】
本方法のために説明されてきた利点は設備によっても得ることができる。
【００１６】
本発明のこれらの、および他の利点、並びに特徴は、図面および本発明の詳細な説明を参照して明らかになる。
【図面の簡単な説明】
【００１７】
【図１】図１は本発明の設備の好ましい実施形態を、そのいくつかの要素を伴わず模式的かつ単純化された方式で示す。
【図２】図２は図１の設備の第１のステーションで生成された複数のコアとともにジョブボックスを示す。
【図３】図３は図１の設備の第１のステーションを模式的かつ単純化された方式で示す。
【図４】図４は図１の設備の第２のステーションを模式的かつ単純化された方式で示す。
【図５】図５はジョブボックスで規定された内部空間の密閉式の閉鎖を提供する、図１の設備の第２のステーションの蓋を示す。
【図６】図６は構造体に配置された図２のジョブボックスおよび前記設備の第２のステーションの清掃プラットフォームを示す。
【図７ａ】図７ａは図２のジョブボックスのプラットフォームを、前記プラットフォームの穴が閉じた状態でさらに詳細に示す。
【図７ｂ】図７ｂは図２のジョブボックスのプラットフォームを、前記プラットフォームの穴が開いた状態でさらに詳細に示す。
【図８】図８は構造体に配置された図２のジョブボックスおよび傾動されている前記設備の第２のステーションの清掃プラットフォームを示す。
【発明を実施するための形態】
【００１８】
本発明の第１の態様は、例えば図１に示すもののように、サンドコアを作成するのに適した設備１０００で実施される、サンドコアを作成するための方法に関する。
【００１９】
その態様のいずれかにおいて、本方法は少なくとも以下のステップを備える。交互かつ選択的な方式で粒状材料（好ましくは砂）および粒状材料を固化する添加剤の複数の層がジョブボックス１のプラットフォーム１．１に塗布される３Ｄ製造（付加剤製造としても知られる）によって、図２に例示されるようにジョブボックス１によって区切られた内部空間１．０で所望の形状でコア９が生成される生成ステップ、および生成ステップで生成されたコア９が硬化される硬化ステップ。
【００２０】
生成ステップでは、単一のコア９がジョブボックス１で生成できるか、または複数のコア９が前記ジョブボックス１で同時に生成できる。生成ステップは図１および３で示される設備１０００の第１のステーション１０１でさらに実施される。
【００２１】
ジョブボックス１は、内部空間１．０が区切られるプラットフォームとフレーム１．２を備える。好ましくは、ジョブボックス１はプラットフォーム１．１および４つの実質的に垂直な壁を備え、内部空間１．０はプラットフォーム１．１上で４つの壁の間で区切られている。
【００２２】
硬化ステップでは、ジョブボックス１からコア９を取り出すことなく生成ステップで生成されたコア９を硬化するため、マイクロ波および少なくとも１つの乾燥ストリーム、好ましくは気流（例えば窒素といった他のガス状流体が使用できる）が、前記コア９が配置されるジョブボックス１の内部空間１．０に加えられる。マイクロ波および乾燥ストリームの組み合わせは前記コア９の迅速な乾燥、および結果的にそこでの硬化を生じる。マイクロ波および／または乾燥ストリームの印加時間は生成されたコア９の条件、および／または対応する生成ステップで生成されたコア９の形状および／または総体積に依存し、（条件および必要に応じて）双方の方法は同時に行われてもよいし行われなくてもよい。
【００２３】
図３に例示される生成ステップは、設備１０００の第１のステーションのジョブボックス１で実施され、図４に例示される硬化ステップは前記設備１０００の第２のステーションで実施される。この方法では、生成ステップが第１のステーション１０１で実施された後、ジョブボックス１は前記硬化ステップが実施される第２のステーション１０２に運搬される。
【００２４】
生成ステップの間、粒状材料および対応する添加剤は、プラットフォーム１．１上のジョブボックス１の内部空間１．０で、コア９は前記生成ステップの後に生成されるため、すなわちジョブボックス１のプラットフォーム１．１上の内部空間１．０で加えられる。硬化ステップでは、マイクロ波および乾燥ストリームを加える前に、前記内部空間１．０がその中に位置する生成されたコア９とともに、その上部で、その目的のために構成された蓋２によって密閉式に閉鎖される。密閉式の閉鎖の結果、続いて加えられるマイクロ波と乾燥ストリームはコア９上で効果的にふるまう。好ましくは蓋２のジョブボックス１に向かう垂直運動は密閉式の閉鎖を提供するために蓋２が前記ジョブボックス１と接触するまで引き起こされる（図５に示す状態）。密閉式の閉鎖を確保するため、蓋２は好ましくはジョブボックス１の上で（ジョブボックス１のフレーム１．２の上で）支持され、前記フレーム１．２と前記蓋２との間には（図示しない）封止ガスケットが存在する（例えば、封止ガスケットは蓋２に取り付けられるか関連づけられている）。
【００２５】
したがって、例えば先端技術で生じるように、マイクロ波オーブンを組み込む必要はなく、ジョブボックス１自体はマイクロ波受信機として利用され、低コストかつマイクロ波から生じる利点を犠牲にしない設備１０００となる。
【００２６】
好ましい実施形態では、マイクロ波は少なくとも１つのマイクロ波生成装置４、例えばマグネトロンなどによって蓋２を介して加えられ、前記蓋２は内部空間１．０がマイクロ波生成装置４と連通されかつマイクロ波がジョブボックス１の内部空間１．０に向けて誘導される少なくとも１つのスルーホール２．０を備える。マイクロ波生成装置４はそれが外部から隔離されるようにスルーホール２．０と連通している。すなわち、例えば好ましくは導管４．０によるこの連通は、ジョブボックス１の内部空間１．０の蓋２により提供される密閉を阻害しない。
【００２７】
乾燥ストリームはジョブボックス１の内部空間１．０上に吸引力を加えることによって生成される。この吸引力は下部から（ジョブボックス１のプラットフォーム１．１の下部から）生じさせることができるが、好ましい実施形態ではそれは上部から加えられる。
【００２８】
上述した後者の好ましい実施形態において、乾燥ストリームの生成を可能にし、プラットフォーム１．１の下に存在する空気を捉えるため、プラットフォーム１．１の下でジョブボックス１の外部へ接近する手段がさらに必要である。したがってプラットフォーム１．１は空気の通過を許容するが粒状材料の通過を許容しない多孔質を、少なくとも１つの吸引エリア内（図示せず）に備える。したがって、内部空間１．０の上部から吸引力が加えられると、プラットフォーム１．１の下部からの空気は前記プラットフォームを介して吸収され、乾燥ストリームが前記内部空間１．０を介して下から上に生成される。
【００２９】
吸引力は蓋２とジョブボックス１の内部空間１．０に存在する材料との間に配置される吸着床３を介して加えられ、吸引力は好ましくは材料と接触する吸着床３によって加えられる。接触によって吸引力を加えることにより内部空間１．０で粒状材料が動き回ることが防止され、効率の低下が防止される。
【００３０】
吸着床３は柱２．２によって、好ましくは垂直運動自在に蓋２に取り付けられている。これは蓋２が移動してジョブボックス１の内部空間１．０の密閉閉鎖を引き起こすときに、この移動が終了する前に前記内部空間１．０に存在する材料と吸着床３が接触する場合、蓋２が移動し続けたとしても前記吸着床３が移動を止めることを許容する。これにより内部空間１．０の内部に存在する材料の過剰な詰込みおよび結果的にコア９の破壊が防がれる。他の実施形態において、吸着床３は運動自在でなく蓋２に固定される。これらの実施形態において、ジョブボックス１の内部空間１．０の密閉閉鎖が確立された時点で、前記内部空間１．０に存在する材料が前記吸着床３に接触するまでプラットフォーム１．１は吸着床３に向けて移動する。前記接触が達成された時点で、前記プラットフォーム１．１は静止させられ乾燥ストリームが生成される。
【００３１】
プラットフォーム１．１に面する吸着床３の表面領域はプラットフォーム１．１の類似の表面領域と比較して等しいか小さいが、それは好ましくはコア９を格納するジョブボックス１の表面領域を少なくとも覆う。コア９を覆わないより小さい領域と比較してコア９のより効果的な吸引がそれによって実施される。さらに、吸着床３の効率がより一層改善されるべきである場合、ジョブボックス１に関して所定の位置に吸着床３を固定しかつ前記吸着床３とジョブボックス１のプラットフォーム１．１との間（コア９が位置する空間）に密閉環境を生成するため吸着床３は密閉閉鎖が確立された時点で流体（例えば空気）によって膨張される輪郭に沿ったチャンバー（図示せず）を備えてもよい。チャンバーが膨張した時点で吸引が加えられるであろう。
【００３２】
好ましくは、吸引は、この目的のために構成されたストリーム生成装置５（例えば吸引ポンプ）によって吸着床３、および蓋２を介して加えられる。そのため、蓋２は少なくとも１つのスルーホール２．１を備え、かつ柱２．２は中空であり、ストリーム生成装置５は、スルーホール２．１および柱２．２の空洞を介して吸着床３と連通している。ジョブボックス１と吸着床３との間で区切られた空間から吸着床３を介して過剰または固化していない粒状材料が出ていき、ストリーム生成装置５に向かうこと（これは、ストリーム生成装置５の不具合、またはストリーム生成装置５の劣化となりうる）を防ぐため、吸着床３は少なくとも１つの吸引領域３．０に、そこを介した空気の通過を許容する一方で粒状材料の通過は許容しない規定の多孔性を備えており、吸引領域３．０を介して吸引力が加えられる（かつ吸着床３の残りには加えられない）。
【００３３】
あるいは、生成装置５は、ジョブボックス１の下に配置される（ジョブボックス１の下部から吸引力が加えられる実施形態のため）。いずれかの実施形態において、生成装置５がジョブボックス１の下に配置され、かつ吸引力が吸着床３を介して加えられたとき、吸着床３を通過する乾燥ストリームは、先にジョブボックス１を通過しており、その一方で生成装置５がジョブボックス１の上に配置されかつ吸引力が吸着床３を介して加えられたとき、吸着床３を通過する乾燥ストリームは先にジョブボックス１を通過しておらず、ジョブボックス１は吸着床３を通過した後に乾燥ストリームを受け取る。
【００３４】
好ましくは、蓋２はマイクロ波のエネルギーを蓋２ではなく、内部空間１．０に存在するコア９に伝えるように、マイクロ波に耐えるのに適した材料、例えばテフロンまたは高密度ポリエチレンといった誘電性またはマイクロ波透過性の材料から作成されている。これは、一方では蓋２の特性は変えられることはなく、蓋２は長い耐用年数を有する。他方、蓋２自体は熱くならず、マイクロ波からのエネルギーを捕捉せず、マイクロ波からの最大限可能な量のエネルギーがコア９の乾燥または固化に利用される。好ましくは、同様に、ジョブボックス１および／または吸着床３もマイクロ波に耐えるのに適した材料から作成されており、ジョブボックス１が作成されるのと同じ材料とすることができる。
【００３５】
好ましい実施形態において、この方法は、硬化ステップの後に清掃ステップを備える。この清掃ステップでは、コア９の周囲に存在する過剰または固化しない粒状材料がジョブボックス１から排出される。先の硬化ステップの結果、コア９を破壊する危険なく効果的な清掃ステップが可能となる。
【００３６】
清掃ステップを実施するため、ジョブボックス１は、設備１０００の第３のステーションに運搬されることができるが、前述した好ましい実施形態では、清掃ステップは設備１０００の第２のステーション１０２で実施され、硬化ステップと同様に処理時間を減らす。
【００３７】
前述した好ましい実施形態では、マイクロ波および乾燥ストリームの双方がジョブボックス１の下で活動せず、かつ空間が空となるように、蓋２を介して内部空間１．０に導入される。過剰な材料は、こうしてジョブボックス１の下部から排出されることができ、そのためジョブボックス１のプラットフォーム１．１は、過剰な、または固化されない粒状材料がジョブボックス１の内部空間１．０から排出される複数の排出穴１．１ａを備える。排出穴１．１ａは、生成および硬化ステップの間は閉じられており、過剰な粒状材料の排出を可能とするために、清掃ステップの間は開かれている。排出を可能にするために、排出穴１．１ａの大きさは、粒状材料の粒のサイズよりも明らかに大きい。したがって、排出穴１．１ａは制御された方式で開かれる。
【００３８】
図６および７に示したように、前述した好ましい実施形態において、第２のステーション１０２は、構造１０２．１と、構造１０２．１に配置され、かつ構造１０２．１に取り付けられた清掃プラットフォーム１０２．０と、を備える。清掃プラットフォーム１０２．０は中空のフレームである。ジョブボックス１が第２のステーション１０２に運搬されたときに、ジョブボックス１は、清掃プラットフォーム１０２．０上に配置され、かつそれは清掃プラットフォーム１０２．０と接続される。清掃ステップの間、開放されているプラットフォーム１．１の排出穴１．１ａに加えて、いくつかの実施形態において異なる方向のジョブボックス１の傾動を生じさせる。それにより、ジョブボックス１の内部空間１．０に存在する過剰な粒状材料の移動が生じるため、異なる方向への清掃プラットフォーム１０２．０の制御された傾動が生じさせられて、排出穴１．１ａを介した排出をより一層容易にする（例えば、清掃プラットフォーム１０２．０の下に配置された容器１０２．３に排出する）。傾動を生じさせるために、清掃プラットフォーム１０２．０の制御された移動が生成される。清掃プラットフォーム１０２．０は、第２のステーションの複数の支持領域上で支持されており、高さ方向に移動可能であり、上述の傾動を生じるため支持領域の制御された垂直の移動が生成される。
【００３９】
傾動を生じさせるために、設備１０００は、構造１０２．１と清掃プラットフォーム１０２．０との間に配置され、清掃プラットフォーム１０２．０の異なる領域と各々接触するように配置された複数の膨張可能な要素１０２．２を第２のステーション１０２内に備える。各膨張可能な要素１０２．２は、清掃プラットフォーム１０２．０が支持される少なくとも１つの支持領域を備え、清掃プラットフォーム１０２．０および清掃プラットフォーム１０２．０に接続されたジョブボックス１の所望の傾動を生じさせるために、各膨張可能な要素１０２．２の制御された膨張および収縮が生じさせられる。膨張可能な要素１０２．２は、独立した方式で制御され、各要素１０２．２は、好ましくは単一の個別支持領域を備える。
【００４０】
清掃プラットフォーム１０２．０は、ジョブボックス１と同一の形状を有する底を備え、好ましい実施形態では矩形であり、清掃プラットフォーム１０２．０はそれにより好ましい実施形態で４つの支持領域により支持される。各支持領域は、清掃プラットフォーム１０２．０の角の１つに近接するか、または下部にあり、上記のもののような膨張可能な要素１０２．２は、各支持領域に対応する。
【００４１】
清掃ステップの間、蓋２は密閉閉鎖を提供し続ける。その場合、清掃プラットフォーム１０２．０と同じ程度、そしてジョブボックスと同じ程度に傾動されるため、蓋２は、構造１０４によって清掃プラットフォームに取り付けられるか、あるいは蓋２は、ジョブボックス１から分離されることができる（その場合、構造１０４は要求されない）。
【００４２】
清掃のために、固化されない粒状材料を移動させるため、ジョブボックス１単独の振動、またはジョブボックス１の傾動と組み合わされた振動を生成させることができる。
【００４３】
この方法の他の実施形態では、上述のように、乾燥ストリームがジョブボックス１の下部からプラットフォーム１．１を介して吸引力を加えることによって生成される。これらの実施形態では、設備１０００は硬化ステップの後に、ジョブボックス１が運搬される第３のステーションを備え、清掃ステップは、第３のステーションで実施される。
【００４４】
本発明の一部でない実施形態では、乾燥ストリームは、吸引力の代わりに、空気または他のガス状流体の注入によって生成されるか、または他の実施形態では、それは注入および吸引の組み合わせによって生成される。
【００４５】
いずれかの実施形態において、ジョブボックス１の内部空間１．０に加えられた乾燥ストリームは、それがジョブボックス１の内部に配置されたコア９を強制的に貫通するように生成することができる。したがって、乾燥ストリームは、コア９の外部表面上で効果的にふるまうだけでなく、単なる空気供給が内部空間に加えられたときも同様に生じ、コアの乾燥がさらに効果的に実行される。
【００４６】
本発明の第２の態様は、サンドコア９を作成するために構成された設備１０００に関する。設備１０００は、コア（９）が生成されかつプラットフォーム（１．１）を備えるジョブボックス（１）と、ジョブボックス１を収納するために構成された第１のステーション１０１と、第１のステーション１０１と関連付けられ、かつ粒状材料および粒状材料を固化する添加剤の複数の層が前記ジョブボックス１のプラットフォーム１．１上で交互かつ選択的な方式で塗布される３Ｄ生成により、ジョブボックス１によって区切られた内部空間１．０においてコア９を生成するために構成された作成手段と、ジョブボックス１を収納するために構成された第２のステーション１０２と、第１のステーション１０１から第２のステーション１０２にジョブボックス１を移動するためのコンベア装置（図示せず）と、第２のステーション１０２と関連付けられ、かつ生成されたコア９を硬化するために構成された硬化手段と、を備える。
【００４７】
第１のステーション１０１は、ジョブボックス１が配置された少なくとも１つの構造１０１．１（ジョブボックス１は好ましくは構造１０１．１に接続されている）を備える。第１のステーション１０１と関連付けられた作成手段は、第１のステーション１０１に配置されており、第１のステーション１０１は、作成手段を備える。作成手段は少なくとも２つのヘッド１０１．２および１０１．３を備えており、第１のヘッド１０１．２は粒状材料の層を加えることを担当しており、第２のヘッド１０１．３は添加剤の層を加えることを担当している。好ましくは、両ヘッド１０１．２および１０１．３は、水平方向Ｘに移動可能となるように、第１のステーション１０１の第２の構造１０１．４に接続されている。第２の構造１０１．４は、さらに作成手段の中に備えられていてもよい。
【００４８】
硬化手段は、少なくとも１つのマイクロ波生成装置４と、乾燥ストリームを生成するために構成されたストリーム生成装置５と、を備える。両装置４および５は、ジョブボックス１が第２のステーション１０２に配置されているときに、ジョブボックス１の内部空間１．０と連通するのに適している。
【００４９】
設備１０００は、第２のステーション１０２において、本方法のために説明したもののような蓋２と、ジョブボックス１と蓋２との間で密閉式の閉鎖を確立するために、ジョブボックス１に向かって蓋２を移動させるか、または蓋２に向かってジョブボックス１を移動させるための移動手段（図示せず）と、を備える。密閉式の閉鎖に関して本方法のために提供された説明内容は、設備１０００についても有効であり、その実施形態および／または構成のいずれにおいても、設備１０００のための再度の説明は省略する。
【００５０】
マイクロ波生成装置４は、さらに蓋２を介してジョブボックス１の内部空間１．０へマイクロ波を誘導するために構成されており、蓋２は、少なくとも１つのスルーホール２．０を備えており、そこを介して内部空間１．０に向けたマイクロ波の通過を可能とする。蓋２は、好ましくは本方法のために説明されたようなマイクロ波に耐えるのに適した材料を備える。マイクロ波４とスルーホール２．０との間の連通は、例えばその目的のために構成された導管４．０によって確立されることができる。マイクロ波生成装置４は、マグネトロンを備えていてもよく、固定方式で第２のステーション１０２に配置されてもよい。上述の密閉式の閉鎖を生成するために移動されるのが蓋２である場合、それはマイクロ波生成装置４を移動するスルーホール２．０と連通させる導管４．０である（したがって、導管４．０は柔軟である）。
【００５１】
設備１０００は、好ましくは蓋２に水平方向に移動自在に取り付けられた吸着床３を備え、ジョブボックス１が第２のステーション１０２にある場合、吸着床３は蓋２とジョブボックス１のプラットフォーム１．１との間に配置される。ストリーム生成装置５は、吸着床３および蓋２を介して内部空間１．０に吸引力を（内部空間１．０の上部または下部から）加えるために構成される。本方法のために吸着床３に関して提供された記述は、設備１０００に対しても有効であり、いずれかの実施形態および／または構成において、設備１０００のために再び説明されることはなく、生成装置５は、好ましくは、内部空間１．０に存在する材料と接触する吸着床３によって吸引力を加えるよう構成される。
【００５２】
吸着床３と蓋２との間の接続は、例えば柱２．２によって確立されることができ、吸着床３は前記柱２．２に関して移動されることができる。
【００５３】
本方法で説明されたように、ストリーム生成装置５は、吸着床３を介して吸引力を加えるよう構成されている。さらに、好ましい実施形態では、ストリーム生成装置５は、密閉式の閉鎖が確立された後内部空間１．０の外部に配置されており、かつその目的のために構成された導管５．０によって蓋２と連通している。蓋２はさらに吸着床３を介した吸引力の生成を許容するために、ストリーム生成装置５と連通するスルーホール２．１を備える。さらに、柱２．２は、部分的に中空であり、スルーホール２．１と連通しており（それは好ましくはスルーホール２．１と整列されている）、ストリーム生成装置５がジョブボックス１によって区切られた内部空間１．０に達するように、吸引領域３．０は柱２．２（柱２．２の中空空間によって）と連通している。他の実施形態において、生成装置５は、ジョブボックス１の下に配置されている（吸引力がジョブボックス１の下部から加えられている実施形態に関して）。生成装置５がジョブボックス１の下に配置され、かつ吸引力が吸着床３を介して加えられる実施形態では、吸着床３を通過する乾燥ストリームは、先にジョブボックス１を通過しており、その一方、生成装置５がジョブボックス１の上に配置され、かつ吸引力が吸着床３を介して加えられる実施形態では、吸着床３を通過する乾燥ストリームは、先にジョブボックス１を通過しておらず、ジョブボックス１は吸着床３を通過した後に乾燥ストリームを受け取る。
【００５４】
本方法のために説明したように、１つの好ましい実施形態において装置４および５はジョブボックス１の下で干渉しない。好ましい実施形態において、装置１０００の第２のステーション１０２は、第２のステーション１０２の構造１０２．１の上に配置されている清掃プラットフォーム１０２．０を備え、ジョブボックス１および清掃プラットフォーム１０２．０は、互いに接続可能なように構成されている。本方法のために説明されたように（この説明は設備１０００に対しても有効である）、ジョブボックス１のプラットフォーム１．１は、制御された開口を備える複数の排出穴１．１ａを備え、そこを介して粒状材料がジョブボックス１の内部空間１．０から排出されることができる。清掃プラットフォーム１０２．０は、ジョブボックス１に接続されたものであるフレームを備え、フレームは中空（または部分的に中空）であり、プラットフォーム１．１の排出穴１．１ａを介してジョブボックス１から排出される過剰な粒状材料が同じところを突き抜けて、それが（処分されるため、または可能なら再利用されるためでも）必要であればどこにでも向けて引き続き運搬されるために回収されることを可能にする。
【００５５】
前述した好ましい実施形態において、プラットフォーム１．１は複数、好ましくは、１つが他のモノの上にサンドイッチ状に配置された計３つの平行な板１．１０で形成される。各板１．１ｂは複数のスルーホール１．１１を備え、プラットフォーム１．１の穴１．１ａを開けるため板１．１０の少なくとも１つの動きは、図７ｂに例示するように、異なる板１．１０の穴１．１１が整列されプラットフォーム１．１を介して固化しない結合材料の通過を許容するように横断方向Ｔに生じさせられる。したがって、異なる板１．１０の穴１．１１が整列されたとき、穴１．１ａは開いていると言え、そのためジョブボックス１からそれらを介した固化しない粒状材料の通過が許容される。
【００５６】
本方法のために説明されたように、清掃プラットフォーム１０２．０は制御可能かつ独立した方式で高さ方向に移動可能な複数の支持領域の上で支持されており、図８で例示したようにジョブボックス１の制御された異なる方向の傾動は支持領域の制御された動きによって生成される。清掃プラットフォーム１０２．０は４つの支持領域の上で支持されており、各支持領域は清掃プラットフォーム１０２．０の隅の１つに近接するかまたは下にある。
【００５７】
第２のステーション１０２は、構造１０２．１と清掃プラットフォーム１０２．０との間に配置された複数の膨張可能な要素１０２．２を備え、各膨張可能な要素１０２．２は、清掃プラットフォーム１０２．０が支持される少なくとも１つの支持領域を備え、膨張可能な要素１０２．２は、独立した方式で制御されるように構成され、対応する支持領域の垂直の移動を生じるために制御された方式で膨張または収縮される。
【００５８】
固化しない粒状材料を動かすようなジョブボックス１の振動を生じるために、設備は振動発生装置（図示せず）を備えてもよい。装置は単独で使用されることができるか、またはジョブボックス１を傾動するための手段と組み合わせることができる。
【００５９】
清掃に関して、いずれかの実施形態において、ストリーム生成装置５は、ジョブボックス１の内部空間１．０内で加えられた乾燥ストリームがジョブボックス１の内部空間１．０に配置されたコア９を強制的に貫通するのに適している。したがって、乾燥ストリームがコアの外部表面上でのみ効果的に働くだけでなく、単なる空気供給が内部空間に加えられたときに生じるように、コアの乾燥がより効果的に実施される。
【００６０】
本発明の設備１０００は、その実施形態および／または構成のいずれかにおける本発明に係る方法の実施を可能にするように構成されており、逆も然りである。設備１０００は、本方法の必要な構成または実施形態を実施するために必要な構成を備えることになり、逆も然りである。したがって、本方法に関して提供された記述は、設備１０００の対応する実施形態／構成にも有効であり、そして設備１０００に関して提供された記述は本方法の対応する実施形態／構成にも有効である。
【図１】
2021526461.tif 000003
【図２】
2021526461.tif 000004
【図３】
2021526461.tif 000005
【図４】
2021526461.tif 000006
【図５】
2021526461.tif 000007
【図６】
2021526461.tif 000008
【図７ａ】
2021526461.tif 000009
【図７ｂ】
2021526461.tif 000010
【図８】
2021526461.tif 000011
【国際調査報告】
2021526461.tif 000012
2021526461.tif 000013
2021526461.tif 000014
2021526461.tif 000015
2021526461.tif 000016
2021526461.tif 000017